(57)【特許請求の範囲】
【請求項１】
電線等の線材の外周に装着可能な管状体と、該管状体の外周に設けられた多数の突起とからなり、該突起によって鳥獣類が前記線材に寄り付かないようにする鳥獣害防止具において、
前記突起が、
前記管状体の略遠心方向へ突設された幹部と、
該幹部から前記管状体の軸方向と略平行に突設された枝部とを備えており、
しかも、前記管状体の外周には、前記管状体の外周に接するＣ字状の内周および当該内周から突出して前記管状体の穴に嵌め込まれた取付部を有する形状とされた鍔部が設けられて、該鍔部の外縁から複数の前記幹部が突設されていて、前記管状体の軸方向について隣り合う位置に突設された前記幹部それぞれに突設された前記枝部は、一方の幹部から他方の幹部に向かって突設された枝部と、前記他方の幹部から前記一方の幹部に向かって突設された枝部とで、管状体の表面からの高さ位置が異なる位置に設けられている
ことを特徴とする鳥獣害防止具。
【請求項２】
請求項１記載の鳥獣害防止具において、
前記突起が、柔軟に変形可能で、前記幹部が踏み倒された場合には、横を向いていた前記枝部が上に向けられる可撓性突起とされている
ことを特徴とする鳥獣害防止具。
【発明の詳細な説明】
【０００１】
【発明の属する技術分野】
本発明は、近隣に対するフン害や短絡事故等、鳥獣類が電線等につかまることによって引き起こされる鳥獣害を防止するのに使われる鳥獣害防止具に関する。
【０００２】
【従来の技術】
従来、この種の鳥獣害防止具としては、電線の外周に装着可能な管状体と、この管状体の外周に設けられた多数の突起とからなるものが知られている。この様な鳥獣害防止具によれば、突起が障害物となって鳥が電線につかまりにくくなり、鳥が電線に寄り付かなくなるため、近隣に対するフン害等を未然に防止することができた。
【０００３】
【発明が解決しようとする課題】
しかしながら、従来技術によれば、以下に述べるような問題があった。
従来の鳥獣害防止具では、突起と突起との間に鳥がつかまってしまうのを防ぐ必要から、上記突起をかなり密に配置していたため、鳥獣害防止具全体の重量がかなり重くなり、電線に負荷をかける要因となっていた。また、突起を密に配置するには単位長さ当りに植設する突起の数を多くしなければならないため、管状体の外周に突起を植設する作業に手間がかかるという問題もあった。
【０００４】
本発明は、こうした問題を解決するためになされたものであり、その目的は、従来よりも突起の数を減らして軽量化を図ることができ、しかも十分に鳥獣害防止効果を得ることのできる鳥獣害防止具を提供することにある。
【０００５】
【課題を解決するための手段】
上述の目的を達成するため、本発明は、請求項１記載の通り、
電線等の線材の外周に装着可能な管状体と、該管状体の外周に設けられた多数の突起とからなり、該突起によって鳥獣類が前記線材に寄り付かないようにする鳥獣害防止具において、
前記突起が、
前記管状体の略遠心方向へ突設された幹部と、
該幹部から前記管状体の軸方向と略平行に突設された枝部とを備えており、
しかも、前記管状体の外周には、前記管状体の外周に接するＣ字状の内周および当該内周から突出して前記管状体の穴に嵌め込まれた取付部を有する形状とされた鍔部が設けられて、該鍔部の外縁から複数の前記幹部が突設されていて、前記管状体の軸方向について隣り合う位置に突設された前記幹部それぞれに突設された前記枝部は、一方の幹部から他方の幹部に向かって突設された枝部と、前記他方の幹部から前記一方の幹部に向かって突設された枝部とで、管状体の表面からの高さ位置が異なる位置に設けられている
ことを特徴とする。
【０００６】
また、請求項２記載の鳥獣害防止具は、
前記突起が、柔軟に変形可能で、前記幹部が踏み倒された場合には、横を向いていた前記枝部が上に向けられる可撓性突起とされている
ことを特徴とする。
【０００７】
【発明の実施の形態】
本発明の鳥獣害防止具によれば、管状体の外周に突起が設けられているので、鳥や小動物にとってはこの突起が障害物となり、線材につかまったり線材上を往来することが困難になり、その結果、鳥や小動物が線材に寄り付かなくなる。そして特に、この突起が幹部と枝部とを備えているので、この突起を管状体に対して比較的疎らに設置しても、突起の設置位置間では枝部が障害物となり、所期の効果を十分に確保できる。しかも、突起を疎らに設置すれば、単位長さ当たりに配置される突起の数を減らせるので、その分だけ鳥獣害防止具の製造に手間がかかららなくなり、また、幹部を密に配置する場合よりも鳥獣害防止具が軽量化され、電線等にかかる負荷が軽減されるという利点がある。
また、管状体の外周に鍔部が設けられているので、小動物の往来を妨げる効果がより一層高い。また、鍔部の外縁から複数の突起が突設されているので、管状体に一つの鍔部を取り付けるだけで、複数の突起の取り付けが完了することになり、鳥獣害防止具を容易に製造できるようになる。
さらに、枝部が、異なる高さ位置で障害物となっているため、きわめて鳥がつかまりにくいものとなる。
【０００８】
また、請求項２記載の鳥獣害防止具によれば、上記突起が可撓性突起とされているので、外力を受ければ簡単に撓み、仮に作業員が手で触れたとしても手を傷つけるといったことはなく、また、仮に鳥等が接触したとしても傷つけることはない。また、何らかの原因で電線が切れるのに伴って、鳥獣害防止具が落ちてきたとしても、可撓性突起であれば落下位置にあったものを傷つけるようなことはない。
【０００９】
ところで、可撓性突起にすると鳥等に踏み倒される可能性があるため、この様な場合、従来の突起では所期の効果が得られなくなる恐れがあるが、本発明の鳥獣害防止具の場合、幹部が踏み倒された場合には、横を向いていた枝部が上に向けられるため、鳥にとって居心地が悪く、鳥を退散させる効果が失われない。
【００１１】
なお、本発明の鳥獣害防止具は、電力供給用の電線の他に、各種通信用ケーブルや電柱間に張架される支持線等、架空配線される線材全般に装着することができるものである。
次に、本発明の実施の形態をより一層明確にするため、本発明を適用した鳥獣害防止具の具体例について図面に基づいて説明する。なお、以下に例示する具体例のうち、具体例５，７が本発明の実施の形態に相当し、具体例５，７以外は参考例である。ただし、以下に説明する具体例５，７は、本発明の実施の形態の一例に過ぎず、本発明の実施の形態が以下に例示する具体的なものに限られる訳ではない。
【００１２】
［具体例１］
鳥獣害防止具１は、図１（ａ）、同図（ｂ）に示す様に、電線等の外周に装着可能な管状体３と、管状体３の外周に螺旋を描くように植設された多数の可撓性突起５とを備えている。
【００１３】
このうち、管状体３は、ポリエチレン製で、軸方向に沿って切り裂き可能な切れ目７が下面側に形成されており、切れ目７を自由に開閉することができる。
また、可撓性突起５は、合成ゴム製で、管状体３の遠心方向へ突設された幹部１３と、幹部１３から管状体３の軸方向と平行に突設された枝部１５とを備えている。この可撓性突起５の下端には、図２（ａ）、同図（ｂ）に示す様に、取付部１７が形成され、この取付部１７が管状体３の穴（図示略）に嵌め込まれている。
【００１４】
なお、この鳥獣害防止具１は、管状体３の全長２５００ｍｍ〜３０００ｍｍ、内径２５ｍｍ〜３５ｍｍで、可撓性突起５の高さ５０ｍｍ程度（取付部１７を含まず）とされ、枝部１５は管状体３の外周面から３８ｍｍ程度の高さ位置に突設されている。
【００１５】
以上のように構成された鳥獣害防止具１は、切れ目７を開いて電線等に装着される。これにより、電線の外周には、可撓性突起５が突設された状態となり、鳥などがとまりにくくなり、また、小動物も電線を伝ってわたりにくくなる。したがって、鳥や小動物が電線に寄り付かなくなり、フン害や短絡事故等といった鳥獣害を未然に防止することができる。
【００１６】
また特に、可撓性突起５は、外力を受ければ簡単に撓むため、作業員や鳥が接触したとしてもこれらを傷つけるようなことはない。
更に、可撓性突起５の設置位置で幹部１３が障害物となると同時に、可撓性突起５の設置位置間では枝部１５が障害物となるため、可撓性突起５を比較的疎らに設置しても、鳥を寄り付かせなくする効果は、枝部１５によって十分に確保することができる。
【００１７】
しかも、可撓性突起５を疎らに設置すれば、単位長さ当たりに配置される可撓性突起５の数を減らせるので、可撓性突起５の取付に手間がかからなくなり、その分だけ鳥獣害防止具１の製造が容易になり、また、幹部１３を密に配置する場合よりも軽量化を図ることができる結果、電線等にかかる負荷が軽減される。
【００１８】
また更に、鳥が可撓性突起５を踏み倒す様にしてつかまったとしても、その場合には、枝部１５が上向きになるため、鳥にとって居心地が悪く、鳥を退散させる効果が高い。
［具体例２］
鳥獣害防止具２１は、図３（ａ）、同図（ｂ）に示す様に、電線等の外周に装着可能な管状体２３と、管状体２３の外周に配設された鍔状体２４と、鍔状体２４の外縁から一体に突設された多数の可撓性突起２５とを備えている。
【００１９】
このうち、管状体２３は、ポリエチレン製で、上記具体例１のものとほぼ同様に構成されている。
また、鍔状体２４及び可撓性突起２５は、合成ゴム製で、可撓性突起２５は、管状体２３の遠心方向へ突設された幹部３３と、幹部３３から管状体２３の軸方向と平行に突設された枝部３５とを備えている。鍔状体２４の内周には、図４（ａ）、同図（ｂ）に示す様に、取付部３７が形成され、この取付部３７が管状体２３の穴（図示略）に嵌め込まれている。
【００２０】
なお、この鳥獣害防止具１は、管状体２３の全長２５００ｍｍ〜３０００ｍｍ、内径２５〜３５ｍｍで、可撓性突起２５の管状体２３の外周面からの高さが４０ｍｍ程度とされ、枝部３５は管状体２３の外周面から２３ｍｍ程度の高さ位置に突設されている。また、鍔状体２４は、３５ｍｍ程度の間隔で配設されている。
【００２１】
以上のように構成された鳥獣害防止具２１でも、上記具体例１のものと同様の効果を奏する。また、鍔状体２４が設けてあるので、多数の可撓性突起２５をまとめて取り付けることができ、鳥獣害防止具２１の製造に手間がかからない。更に、鍔状体２４が設けてあるので、具体例１で示したもの以上に、電線を伝って小動物が往来するのを防止する効果が高い。
【００２２】
［具体例３］
鳥獣害防止具４１は、図５（ａ）、同図（ｂ）に示す様に、電線等の外周に装着可能な管状体４３と、管状体４３の外周に配設された鍔状体４４と、鍔状体４４の外縁から一体に突設された多数の可撓性突起４５とを備えている。
【００２３】
このうち、管状体４３は、ポリエチレン製で、上記具体例１のものとほぼ同様に構成されている。
また、鍔状体４４及び可撓性突起４５は、合成ゴム製で、可撓性突起４５は、管状体４３の遠心方向へ突設された幹部５３と、幹部５３から管状体４３の軸方向と平行に突設された枝部５５とを備えている。鍔状体４４の内周には、図６（ａ）、同図（ｂ）に示す様に、取付部５７が形成され、この取付部５７が管状体４３の穴（図示略）に嵌め込まれている。
【００２４】
なお、この鳥獣害防止具１は、管状体４３の全長２５００ｍｍ〜３０００ｍｍ、内径２５ｍｍ〜３５ｍｍで、可撓性突起４５の管状体４３の外周面からの高さが２５ｍｍ程度とされ、枝部５５は管状体４３の外周面から２２．５ｍｍの高さ位置に突設されている。また、鍔状体４４は、管状体４３に３５ｍｍ程度の間隔で配設されている。
【００２５】
以上のように構成された鳥獣害防止具４１でも、上記具体例２のものと同様の効果を奏する。
［具体例４］
鳥獣害防止具６１は、図７（ａ）、同図（ｂ）に示す様に、具体例２と全く同じ鍔状体２４と可撓性突起２５とを備えているが、管状体６３の電線に対する取付構造が、具体例２のものとは異なる。
【００２６】
即ち、管状体６３は、軸方向に沿って切り裂き可能な切れ目６４が下面側に形成されており、切れ目６４によって切り裂いた両側から一対の接触片６５が下方へ延出されている。そして、この管状体６３の外周に取付補助具６６を装着して、管状体６３が電線等から外れないようにされている。
【００２７】
取付補助具６６は、図８に示す様に、上記接触片６５の外側に嵌まり込む断面略コ字状の封止部６６ａと、管状体６３の外側に嵌まり込む軸受部６６ｂと、軸受部６６ｂを管状体６３に装脱着するために軸受部６６ｂを弾性変形させる際に手で操作をするための摘み部６６ｃ、６６ｄを備えている。
【００２８】
以上のように構成された鳥獣害防止具６１でも、上記各具体例のものと同様の効果を奏する。また、取付補助具６６を使って電線への装脱着を行うので、装脱着作業が簡単になる。
［具体例５］
鳥獣害防止具７１は、図９に示す様に、具体例４と全く同じ管状体６３と取付補助具６６とを備えているが、可撓性突起の枝部７２、７３の配置が具体例４のものとは異なる。
【００２９】
即ち、図示左側面に突出する枝部７２と、図示右側面に突出する枝部７３とでは、管状体６３の表面からの高さ位置が異なり、枝部７２全体としては径の大きい円周上に配列され、枝部７３全体として径の小さい円周上に配列されている。以上のように構成された鳥獣害防止具７１でも、上記各具体例のものと同様の効果を奏する。特に、枝部７２、７３が、異なる高さ位置で障害物となっているため、より一層鳥がつかまりにくい。
【００３０】
［具体例６］
鳥獣害防止具８１は、図１０（ａ）、同図（ｂ）に示す様に、具体例３と全く同じ鍔状体４４と可撓性突起４５とを備え、また、具体例４と全く同じ管状体６３と取付補助具６６とを備えてなる。
【００３１】
以上のように構成された鳥獣害防止具８１でも、上記各具体例のものと同様の効果を奏する。また、取付補助具６６を使って電線への装脱着を行うので、装脱着作業が簡単である。
［具体例７］
鳥獣害防止具９１は、図１１に示す様に、具体例６と全く同じ管状体６３と取付補助具６６とを備えているが、可撓性突起の枝部９２、９３の配置が具体例６のものとは異なる。
【００３２】
即ち、図示左側面に突出する枝部９２と、図示右側面に突出する枝部９３とでは、具体例５と同様に、管状体６３の表面からの高さ位置が異なり、枝部９２全体としては径の大きい円周上に配列され、枝部９３全体として径の小さい円周上に配列されている。
【００３３】
以上のように構成された鳥獣害防止具９１でも、上記各具体例のものと同様の効果を奏する。特に、枝部９２、９３が、異なる高さ位置で障害物となっているため、より一層鳥がつかまりにくい。
以上、本発明の具体例について説明したが、本発明の具体的な構成については上記具体例以外にも種々考えられる。
【００３４】
例えば、上記具体例では、可撓性突起を合成ゴム製としたが、これ以外の弾性変形する素材を使ってもよい。
【００３５】
【発明の効果】
以上の如く、本発明の鳥獣害防止具によれば、鳥獣害の発生を未然に防止することができ、特に、突起を管状体に対し比較的疎らに配置しても十分な鳥獣害防止効果が得られる。
【図面の簡単な説明】
【図１】  具体例１の鳥獣害防止具を示し、（ａ）はその正面図、（ｂ）はその側面図である。
【図２】  具体例１の可撓性突起を示し、（ａ）はその側面図、（ｂ）はその正面図である。
【図３】  具体例２の鳥獣害防止具を示し、（ａ）はその正面図、（ｂ）はその側面図である。
【図４】  具体例２の鍔状体及び可撓性突起を示し、（ａ）はその正面図、（ｂ）はＡ−Ａ線断面図である。
【図５】  具体例３の鳥獣害防止具を示し、（ａ）はその正面図、（ｂ）はその側面図である。
【図６】  具体例３の鍔状体及び可撓性突起を示し、（ａ）はその正面図、（ｂ）はＢ−Ｂ線断面図である。
【図７】  具体例４の鳥獣害防止具を示し、（ａ）はその正面図、（ｂ）はその側面図である。
【図８】  具体例４の取付補助具の正面図である。
【図９】  具体例５の鳥獣害防止具を示す側面図である。
【図１０】  具体例６の鳥獣害防止具を示し、（ａ）はその正面図、（ｂ）はその側面図である。
【図１１】  具体例７の鳥獣害防止具を示す側面図である。
【符号の説明】
１，２１，４１，６１，７１，８１，９１・・・鳥獣害防止具、３，２３，４３，６３・・・管状体、５，２５，４５・・・可撓性突起、７，６４・・・切れ目、９・・・係合凸部、１１・・・係合凹部、１３，３３，５３・・・幹部、１５，３５，５５，７２，７３，９２，９３・・・枝部、１７，３７，５７・・・取付部、２４，４４・・・鍔状体、６５・・・接触片、６６・・・取付補助具。
【図１】
0003775845.tif 000002
【図２】
0003775845.tif 000003
【図３】
0003775845.tif 000004
【図４】
0003775845.tif 000005
【図５】
0003775845.tif 000006
【図６】
0003775845.tif 000007
【図７】
0003775845.tif 000008
【図８】
0003775845.tif 000009
【図９】
0003775845.tif 000010
【図１０】
0003775845.tif 000011
【図１１】
0003775845.tif 000012